(57)【要約】【課題】 多角形振動を抑え、これにより、騒音の要因を除去することができる動力伝達チェーンを提供する。【解決手段】  動力伝達チェーン1は、前後に並ぶ貫通孔12,13を有する複数のリンク11と、一のリンク11の前貫通孔12と他のリンク11の後貫通孔13とが対応するようにチェーン幅方向に並ぶリンク11同士を長さ方向に屈曲可能に連結する複数のピン14および複数のインターピース15とを備えている。ピン14とインターピース15との接触位置の軌跡が円のインボリュートとされかつインボリュートの基礎円半径が異なる２種類のピン14A,14Bが形成されている。基礎円半径が大きいピン14Aの接触位置ｈ１は、基礎円半径が小さいピン14Bの接触位置ｈ２よりも低くなされている。【選択図】    図９
2006002784.tif 000002
【特許請求の範囲】
【請求項１】
前後に並ぶ貫通孔を有する複数のリンクと、一のリンクの前貫通孔と他のリンクの後貫通孔とが対応するようにチェーン幅方向に並ぶリンク同士を長さ方向に屈曲可能に連結する複数の第１ピンおよび複数の第２ピンとを備え、一のリンクの前貫通孔に固定されかつ他のリンクの後貫通孔に移動可能に嵌め入れられた第１ピンと一のリンクの前貫通孔に移動可能に嵌め入れられかつ他のリンクの後貫通孔に固定された第２ピンとが相対的に転がり接触移動することにより、リンク同士の長さ方向の屈曲が可能とされている動力伝達チェーンにおいて、第１ピンと第２ピンとの接触位置の軌跡が円のインボリュートとされかつインボリュートの基礎円半径が異なる２種類の第１ピンおよび第２ピンの組が形成され、一方の組のインボリュート基礎円半径をｒ１、他方の組のインボリュート基礎円半径をｒ２、インボリュート基礎円半径がｒ１の組の位相θａにおけるピン同士の接触点の半径方向位置をｈ１、インボリュート基礎円半径がｒ２の組の位相θａにおけるピン同士の接触点の半径方向位置をｈ２として、ｒ１＞ｒ２で、ｈ１＜ｈ２とされていることを特徴とする動力伝達チェーン。
【請求項２】
リンクの貫通孔は、同孔に嵌め入れられるピンの基礎円半径によらずに、実質的に同一形状とされている請求項１の動力伝達チェーン。
【請求項３】
ピッチが異なる２種類のリンクが形成されており、これらのリンクがランダムに配列されている請求項１または２の動力伝達チェーン。
【請求項４】
円錐面状のシーブ面を有する第１のプーリと、円錐面状のシーブ面を有する第２のプーリと、これら第１および第２のプーリに掛け渡される動力伝達チェーンとを備え、動力伝達チェーンが請求項１から３までのいずれかに記載のものである動力伝達装置。
【発明の詳細な説明】
【技術分野】
【０００１】
この発明は、動力伝達チェーン、さらに詳しくは、自動車の無段変速機（ＣＶＴ）に好適な動力伝達チェーンおよびこれを用いた動力伝達装置に関する。
【背景技術】
【０００２】
自動車用無段変速機として、図１４に示すように、固定シーブ(2a)および可動シーブ(2b)を有しエンジン側に設けられたドライブプーリ(2)と、固定シーブ(3b)および可動シーブ(3a)を有し駆動輪側に設けられたドリブンプーリ(3)と、両者間に架け渡された無端状動力伝達チェーン(1)とからなり、油圧アクチュエータによって可動シーブ(2b)(3a)を固定シーブ(2a)(3b)に対して接近・離隔させることにより、油圧でチェーン(1)をクランプし、このクランプ力によりプーリ(2)(3)とチェーン(1)との間に接触荷重を生じさせ、この接触部の摩擦力によりトルクを伝達するものが知られている。
【０００３】
動力伝達チェーンとしては、特許文献１に、前後に並ぶ貫通孔を有する複数のリンクと、一のリンクの前貫通孔と他のリンクの後貫通孔とが対応するようにチェーン幅方向に並ぶリンク同士を長さ方向に屈曲可能に連結する複数の第１ピンおよび複数の第２ピンとを備え、一のリンクの前貫通孔に固定されかつ他のリンクの後貫通孔に移動可能に嵌め入れられた第１ピンと一のリンクの前貫通孔に移動可能に嵌め入れられかつ他のリンクの後貫通孔に固定された第２ピンとが相対的に転がり接触移動することにより、リンク同士の長さ方向の屈曲が可能とされているものが提案されている。
【特許文献１】特開平８−３１２７２５号公報
【発明の開示】
【発明が解決しようとする課題】
【０００４】
上記特許文献１の動力伝達チェーンは、チェーンが連続体でないことから生じる多角形振動を抑制し、これを使用する無段変速機の騒音の低減が図られているが、例えばこれが搭載される自動車の静粛性を高めて快適性を向上するには、さらなる騒音低減が好ましい。
【０００５】
そこで、例えば、２種類の異なる形状を有する第１ピンおよび第２ピンの組を形成し、これらの組をランダムに配列することにより、騒音の低減を図ることが考えられる。しかしながら、ピン形状を変更すると、それに応じてピンが嵌め入れられる貫通孔の形状を変更することが必要となり、前後それぞれの貫通孔について、第１の組に対応したものと第２の組に対応したものとが必要であり、結局、４種類のリンクが必要となって、コストがアップするという問題がある。
【０００６】
この発明の目的は、多角形振動をより抑え、これにより、騒音の要因を除去することができ、しかも、コストアップを抑えることができる動力伝達チェーンおよび動力伝達装置を提供することにある。
【課題を解決するための手段】
【０００７】
この発明による動力伝達チェーンは、前後に並ぶ貫通孔を有する複数のリンクと、一のリンクの前貫通孔と他のリンクの後貫通孔とが対応するようにチェーン幅方向に並ぶリンク同士を長さ方向に屈曲可能に連結する複数の第１ピンおよび複数の第２ピンとを備え、一のリンクの前貫通孔に固定されかつ他のリンクの後貫通孔に移動可能に嵌め入れられた第１ピンと一のリンクの前貫通孔に移動可能に嵌め入れられかつ他のリンクの後貫通孔に固定された第２ピンとが相対的に転がり接触移動することにより、リンク同士の長さ方向の屈曲が可能とされている動力伝達チェーンにおいて、第１ピンと第２ピンとの接触位置の軌跡が円のインボリュートとされかつインボリュートの基礎円半径が異なる２種類の第１ピンおよび第２ピンの組が形成され、一方の組のインボリュート基礎円半径をｒ１、他方の組のインボリュート基礎円半径をｒ２、インボリュート基礎円半径がｒ１の組の位相θａにおけるピン同士の接触点の半径方向位置をｈ１、インボリュート基礎円半径がｒ２の組の位相θａにおけるピン同士の接触点の半径方向位置をｈ２として、ｒ１＞ｒ２で、ｈ１＜ｈ２とされていることを特徴とするものである。
【０００８】
相対的に転がり接触移動するピン同士の接触位置の軌跡を円のインボリュート曲線とするには、例えば、一方のピンの接触面が、断面において半径Ｒｂ、中心Ｍの基礎円を持つインボリュート形状を有し、他方のピンの接触面が平坦面（断面形状が直線）とすればよい。ピン同士の接触位置の軌跡は、両方のピンの接触面がともに曲面であっても円のインボリュート曲線とすることができ、この場合には、両方のピンの断面形状が同一とされることが好ましい。
【０００９】
ピン同士の接触点は、ピンがチェーンの直線部分から曲線部分に移行する際に変化し、ｈ１およびｈ２を求めるときの所定の位相θａとしては、例えば、プーリとの噛み込み位置が選択される。また、ピン同士の接触点の半径方向位置の基準は、リンクの下端面またはプーリの回転中心とすればよい。
【００１０】
２種類のピンの組の数は、同数またはほぼ同数であってもよいが、一方が他方の２倍程度であったり５倍程度であったりしてもよい。そして、異なる基礎円半径のピンの組（したがって接触位置が異なるピンの組）は、ランダムに配列される。このようにすると、チェーンのプーリ進入時にチェーンを持ち上げようとするモーメント力がランダムとなることにより、ピンの進入角がランダムとなる。また、チェーン直線状態においても、モーメント力がランダムに作用する。
【００１１】
リンクの貫通孔は、同孔に嵌め入れられるピンの基礎円半径によらずに、実質的に同一形状とされていることが好ましい。「実質的に同一」は、すべての貫通孔形状が、通常の方法で同一形状に製作しようとしたときに生じる誤差範囲内にあることを意味する。両ピンの接触点の半径方向位置を同じにしたまま、基礎円半径を変更すると、それに応じて貫通孔形状を変更することが必要となるが、基礎円半径の変更と同時に両ピンの接触点の半径方向位置を適切に変更することにより、貫通孔形状を変えることなく、基礎円半径を変更することが可能となる。これにより、ランダム配列とするのに、リンクの種類を増加する必要がなく、コストアップが防止される。
【００１２】
ピッチが異なる２種類のリンクが形成されており、これらのリンクがランダムに配列されていることが好ましい。ピッチは、貫通孔同士の間隔を意味し、貫通孔の形状は同一のまま貫通孔同士の間隔を変えることによって、異なるピッチのリンクを得ることができる。リンク自体の大きさは、ピッチに応じて変えてもよいし、変えなくてもよい。２種類のピッチ（リンク）の数は、同数またはほぼ同数であってもよいが、一方が他方の２倍程度であったり５倍程度であったりしてもよい。また、ピンの組の数と対応するようにその数を決めてもよいし、また、ピンの組の数とは無関係にその数を決めてもよい。
【００１３】
上記において、異なる形状のピンの組および異なるピッチのリンクをランダムに配列するに際しては、同じ形状で連続するピンの組の数または同じ形状で連続するリンクの数を素数とするとともに、次の４つの条件が少なくとも１つ（好ましくは２以上）満たされているようにすることが好ましい。
【００１４】
Ａ）任意の点を基準として±５％の範囲内に同種要素の配列数が現れない。
【００１５】
Ｂ）最大度数の配列数が、存在する最小度数の配列数の３倍以上とならない。
【００１６】
Ｃ）異種要素を含む同種要素連続配列数の種類が３種を超える。
【００１７】
Ｄ）６０°以下の配列パターンの回転対称性を持つ部分が全体の５０％を超えない。
【００１８】
この明細書において、「ランダム配列」とは、狭義には、上記４つの条件の少なくとも１つが満たされていることを意味するが、例えば、ａｂｂａｂｂという配列を１カ所にだけ設け、これ以外の箇所について、Ａ）が成り立っている場合もランダム配列と見なされるべきであり、「ランダム配列」には、各要素が全体にわたって周期性または規則性なく並んでいるものはもちろんのこと、全体の中のごく一部にだけ周期性または規則性を持たせたものも含まれるものとする。
【００１９】
第１ピンおよび第２ピンのうちのいずれか一方は、このチェーンが無段変速機で使用される際にプーリに接触する方のピン（以下「ピン」と称す）とされ、他方は、プーリに接触しない方のピン（インターピースまたはストリップと称されており、以下では「インターピース」と称す）とされる。
【００２０】
そして、リンクの前貫通孔は、ピンが固定されるピン固定部およびインターピースが移動可能に嵌め入れられるインターピース可動部からなり、リンクの後貫通孔は、ピンが移動可能に嵌め入れられるピン可動部およびインターピースが固定されるインターピース固定部からなるものとされる。前後貫通孔は、結合されて１つの孔とされてもよい。
【００２１】
なお、この明細書において、リンクの長さ方向の一端側を前、同他端側を後としているが、この前後は便宜的なものであり、リンクの長さ方向が前後方向と常に一致することを意味するものではない。
【００２２】
この発明による動力伝達チェーンは、いずれか一方のピン（インターピース）が他方のピン（ピン）よりも短くされ、長い方のピンの端面が無段変速機のプーリの円錐状シーブ面に接触し、この接触による摩擦力により動力を伝達するものであることが好ましい。各プーリは、円錐状のシーブ面を有する固定シーブと、固定シーブのシーブ面に対向する円錐状のシーブ面を有する可動シーブとからなり、両シーブのシーブ面間にチェーンを挟持し、可動シーブを油圧アクチュエータによって移動させることにより、無段変速機のシーブ面間距離したがってチェーンの巻き掛け半径が変化し、スムーズな動きで無段の変速を行うことができる。
【００２３】
この発明による動力伝達装置は、円錐面状のシーブ面を有する第１のプーリと、円錐面状のシーブ面を有する第２のプーリと、これら第１および第２のプーリに掛け渡される動力伝達チェーンとを備えたもので、動力伝達チェーンが上記いずれかに記載のものとされる。
【００２４】
この動力伝達装置は、自動車の無段変速機としての使用に好適なものとなる。
【発明の効果】
【００２５】
この発明の動力伝達チェーンによると、各組のピンのインボリュート基礎円半径が異なることにより、チェーンのプーリ進入時にチェーンを持ち上げようとするモーメント力がランダムとなることにより、ピンの進入角がランダムとなり、同じ基礎円半径とすることに伴って生じる所定周波数におけるピークレベルを確実に所定値以下に低減することができるので、多角形振動による共振を回避することができ、これにより、チェーンに起因する騒音を大幅に低減することができる。しかも、接触位置が異なるピンの組がランダムに配列されることで、チェーン直線状態においても、モーメント力がランダムに作用し、より大きな騒音低減効果が得られる。
【００２６】
また、ｒ１＞ｒ２で、ｈ１＜ｈ２とすることで、インボリュート基礎円半径が異なっていても、ピン同士の接触位置の軌跡がほぼ等しくなり、ピンに応じてリンクの貫通孔形状を変える必要がなく、リンクの種類の増加すなわちコストアップを伴うことなく、上記効果を得ることができる。
【発明を実施するための最良の形態】
【００２７】
以下、図面を参照して、この発明の実施形態について説明する。以下の説明において、図３の左を前、右を後というものとする。
【００２８】
図１および図２は、この発明による動力伝達チェーンの一部を示しており、動力伝達チェーン(1)は、チェーン長さ方向に所定間隔をおいて設けられた前後貫通孔(12)(13)を有する複数のリンク(11)と、チェーン幅方向に並ぶリンク(11)同士を長さ方向に屈曲可能に連結する複数のピン（第１ピン）(14)およびインターピース（第２ピン）(15)とを備えている。
【００２９】
図３に示すように、前貫通孔(12)は、ピン(14)（実線で示す）が固定されるピン固定部(12a)およびインターピース(15)（二点鎖線で示す）が移動可能に嵌め入れられるインターピース可動部(12b)からなり、後貫通孔(13)は、ピン(14)（二点鎖線で示す）が移動可能に嵌め入れられるピン可動部(13a)およびインターピース(15)（実線で示す）が固定されるインターピース固定部(13b)からなる。そして、チェーン幅方向に並ぶリンク(11)を連結するに際しては、一のリンク(11)の前貫通孔(12)と他のリンク(11)の後貫通孔(13)とが対応するようにリンク(11)同士が重ねられ、ピン(14)が一のリンク(11)の前貫通孔(12)に固定されかつ他のリンク(11)の後貫通孔(13)に移動可能に嵌め入れられ、インターピース(15)が一のリンク(11)の前貫通孔(12)に移動可能に嵌め入れられかつ他のリンク(11)の後貫通孔(13)に固定される。そして、このピン(14)とインターピース(15)とが相対的に転がり接触移動することにより、リンク(11)同士の長さ方向（前後方向）の屈曲が可能とされる。
【００３０】
ピン(14)を基準としたピン(14)とインターピース(15)との接触位置の軌跡は、円のインボリュートとされており、この実施形態では、ピン(14)の接触面(14a)が、図４に示すように、断面において半径Ｒｂ、中心Ｍの基礎円を持つインボリュート形状を有し、インターピース(15)の接触面(15a)が平坦面（断面形状が直線）とされている。これにより、各リンク(11)がチェーン(1)の直線部分から円弧部分へまたは円弧部分から直線部分へと移行する際、前貫通孔(12)においては、インターピース(15)がインターピース可動部(12b)内を固定状態のピン(14)に対してその接触面(15a)がピン(14)の接触面(14a)に転がり接触（厳密には若干のすべり接触を含む転がり接触（転がり滑り接触）となっている）しながら移動し、後貫通孔(13)においては、ピン(14)が固定状態のインターピース(15)に対してその接触面(14a)がインターピース(15)の接触面(15a)に転がり接触（厳密には若干のすべり接触を含む転がり接触（転がり滑り接触）となっている）しながらピン可動部(13a)内を移動する。なお、図３において、符号ＡおよびＢで示す箇所は、チェーン(1)の直線部分においてピン(14)とインターピース(15)とが接触している線（断面では点）であり、ＡＢ間の距離がこの明細書におけるピッチとされている。
【００３１】
このような動力伝達チェーン(1)では、図５に示すピンの運動軌跡に伴う多角形振動が生じる。図５において、ピン（四角印で示す）が直線部分からプーリと接触する円弧状部分に移行する噛込位置においては、プーリの接線方向とピン進入方向とが異なっており（これらの方向同士のなす角が進入角）、ピンは下降しながらプーリと接触する。プーリと接触する際のピンの下降量が初期噛込位置変化量として示されている。直線部分にあるピンも噛込位置におけるピンの下降の影響を受けて上下移動し、この上下移動量が振幅となる。このようなピンの上下移動の繰り返しにより、多角形振動が生じる。
【００３２】
ピン(14)とインターピース(15)とが相対的に転がり接触移動しかつピン(14)を基準としたピン(14)とインターピース(15)との接触位置の軌跡が円のインボリュートとされていることにより、ピンおよびインターピースの接触面がともに円弧面である場合などと比べて、上記の振幅を小さくすることができる。しかしながら、この構成であっても、リンク(11)、ピン(14)およびインターピース(15)を１種類とし、振動軽減対策を行わなかった場合、図６に示すように、大きな音圧レベルのピークが生じ、これが人間には騒音として感じられる。したがって、接触位置の軌跡が円のインボリュートとされているものにおいても、多角形振動のより一層の減少が望まれている。
【００３３】
そこで、この発明による動力伝達チェーンにおいては、すべてのリンク(11)、ピン(14)およびインターピース(15)が同一形状になされているのではなく、多角形振動による共振を回避するために、図７に示すように、異なる基礎円半径Ｒ１またはＲ２を有する２種類のピン(14A)(14B)およびインターピース(15A)(15B)の組が使用されており、好ましくは、さらに、図８に示すように、異なるピッチＰ１またはＰ２のリンク(11A)(11B)が使用されている。なお、図７において、基礎円半径がＲ２のピン(14B)の形状は、基礎円半径Ｒ１のピン(14A)と形状が違うことを示すために描かれたもので、実際の形状とは相違している。
【００３４】
この発明による動力伝達チェーン(1)では、従来、図１１（ｃ）に示すように、すべてのリンク、ピンおよびインターピースが同じピッチＰ１で同じ基礎円半径Ｒ１を有しているのに対し、図１１（ａ）に示すように、図７に示した２種類のピン(14A)(14B)を使用し、ピッチＰ１はすべて同じとされるとともに、第１組のピン(14A)のインボリュートの基礎円半径がＲ１であれば、第２組のピン(14B)のインボリュートの基礎円半径がＲ２、第３組のピン(14B)のインボリュートの基礎円半径がＲ２、第４組のピン(14A)のインボリュートの基礎円半径がＲ１というように、基礎円の大きさが変更されしかも不規則な順で（ランダムに）配列されている。
【００３５】
基礎円の半径が異なるピン(14A)(14B)およびインターピース(15A)(15B)の組を２種類製作するには、例えば、ピン(14A)の接触面(14a)を半径Ｒ１の基礎円を持つインボリュート形状に、ピン(14B)の接触面(14a)を半径Ｒ２の基礎円を持つインボリュート形状に形成し、インターピース(15A)(15B)は、その接触面(15a)が平坦面のもの１種類とすればよい。ピン(14A)(14B)とインターピース(15A)(15B)とはその断面形状を逆にしてもよく、ピンとインターピースとの接触位置の軌跡が円のインボリュートとなりかつピンとインターピースとが同じ断面形状を有するようにしてもよい。
【００３６】
より好ましくは、図１１（ｂ）に示すように、図８に示した２種類のリンク(11A)(11B)と図７に示した２種類のピン(14A)(14B)および１種類のインターピース(15)とを使用し、第１のリンク(11A)のピッチがＰ１であれば、第２のリンク(11B)のピッチがＰ２、第３のリンク(11B)のピッチがＰ２、第４のリンク(11A)のピッチがＰ１というように、ピッチの大きさが変更されしかも不規則な順で（ランダムに）配列される。この動力伝達チェーン(1)を製作するには、ピン(14A)の接触面(14a)を半径Ｒ１の基礎円を持つインボリュート形状に、ピン(14B)の接触面(14a)を半径Ｒ２の基礎円を持つインボリュート形状に形成し、貫通孔(12)(13)の形状は同一のまま貫通孔(12)(13)同士の間隔（したがってピッチ）が異なるリンク(11A)(11B)を２種類製作し、これらの２種類のリンク(11A)(11B)と２種類のピン(14A)(14B)とを適宜組み合わせて連続させていけばよい。
【００３７】
さらに、この発明による動力伝達チェーン(1)においては、異なる基礎円半径を有する２種類のピン(14A)(14B)を使用するに際し、図９に示すように、リンク(11)の形状については、その前後貫通孔(12)(13)形状が、同孔(12)(13)に嵌め入れられるピン(14A)(14B)のインボリュート基礎円半径によらずに、同一とされるとともに、ピン(14A)(14B)とインターピース(15)とが接触する位置が異なるように形成されている。
【００３８】
図９において、同図（ａ）に示す一方のピン(14A)のインボリュート基礎円半径をｒ１、同図（ｂ）に示す他方のピン(14B)のおよびインボリュート基礎円半径をｒ２、インボリュート基礎円半径がｒ１のピン(14A)・インターピース(15A)の組の位相θ＝θａ（例えば、プーリの噛み込み位置）におけるピン(14A)・インターピース(15A)接触点の半径方向位置（リンクの下端面からの高さ）をｈ１（θａ）、インボリュート基礎円半径がｒ２のピン(14B)・インターピース(15B)の組の位相θ＝θａにおけるピン(14B)・インターピース(15B)接触点の半径方向位置をｈ２（θａ）として、ｒ１＞ｒ２で、ｈ１（θａ）＜ｈ２（θａ）とされている。具体的数値は、例えば、ｒ１＝７０ｍｍ、ｒ２＝５１ｍｍ、ｈ１＝４．１７ｍｍ、ｈ２＝４．４７ｍｍとなる。
【００３９】
図１０に示すように、インボリュート軌跡は、基礎円半径を変更するとこれに伴って変更し、インボリュート曲線長さは、基礎円半径が大きいほど大きくなる。したがって、基礎円半径が大きいものについては、リンク(11)の貫通孔(12)(13)の高さを高くする必要があるが、ｒ１＞ｒ２で、ｈ１＜ｈ２という条件を満たすことにより、貫通孔(12)(13)の形状を変えることなく、異なる基礎円半径の組を得ることができる。
【００４０】
上記実施形態の動力伝達チェーン(1)によると、接触位置の軌跡をインボリュート曲線とすることにより、図１２に示すように、ピン(14A)(14B)およびインターピース(15)がプーリ(2)に噛み込まれても同図に一点鎖線で示す直線Ｌの方向にチェーン(1)が引き続けられることにより、噛み込む位置と噛み込み後の移動によるチェーン(1)の多角形振動を最小限に抑えることができる。そして、ピン(14A)(14B)とインターピース(15)との接触位置の軌跡が円のインボリュートとされかつインボリュートの基礎円半径が異なる２種類のピン(14A)(14B)およびインターピース(15)の組が設けられるとともに、これらのピン(14A)(14B)およびインターピース(15)の組がランダムに配列されているものでは、打音発生の周期がずれ、音のエネルギが異なる周波数帯に分散されるので、音圧レベルのピークを低減することができる。また、接触点の半径方向位置が異なるピン(14A)(14B)の組がランダムに配列されることで、チェーン直線状態においても、モーメント力がランダムに作用し、より大きな騒音低減効果が得られる。さらに、ピッチが異なる２種類のリンク(11A)(11B)もランダムに配列されているものでは、より一層、音圧レベルのピークを低減することができる。こうして、図６における鋭いピークは、その音のエネルギが異なる周波数帯へ分散させられることで、大幅に低減され、人間が感じる騒音が減少する。
【００４１】
なお、図１２において、チェーンの曲線部の中心を原点、チェーンの直線部の方向をＸ軸、これに直交する方向をＹ軸、原点と転がり接触中心とを結ぶ線とＹ軸とのなす角（位相）をθとする。また、チェーン直線時でのピンとインターピースとの接触部を原点とし、チェーン直線方向をｘ軸、これに直交する方向をｙ軸とし、チェーン曲線部のピンとインターピースの接触位置におけるピン接線方向とｙ軸のなす角をγとすると、円のインボリュート曲線は、基礎円の半径をＲｂとして、次の式で与えられる。
【００４２】
ｘ＝Ｒｂ・（sinγ−γ・cosγ）
ｙ＝Ｒｂ・（cosγ＋γ・sinγ）−Ｒｂ
上記の動力伝達チェーンは、図１４に示したＣＶＴで使用されるが、この際、図１３に示すように、インターピース(15)がピン(14)よりも短くされ、インターピース(15)の端面がプーリ(2)の固定シーブ(2a)および可動シーブ(2b)の各円錐状シーブ面(2c)(2d)に接触しない状態で、ピン(14)の端面がプーリ(2)の円錐状シーブ面(2c)(2d)に接触し、この接触による摩擦力により動力が伝達される。ピン(14)とインターピース(15)とは、上述のように、転がり接触移動するので、プーリ(2)のシーブ面(2c)(2d)に対してピン(14)はほとんど回転しないことになり、摩擦損失が低減し、高い動力伝達率が確保される。
【図面の簡単な説明】
【００４３】
【図１】図１は、この発明による動力伝達チェーンの一部を示す平面図である。
【図２】図２は、同拡大斜視図である。
【図３】図３は、同拡大側面図である。
【図４】図４は、接触面の基礎円半径を説明する図である。
【図５】図５は、ピンの運動軌跡を示す図である。
【図６】図６は、等ピッチ配列を採用したときの音圧レベルを示すグラフである。
【図７】図７は、異なる形状のピンがランダムに配列された一例を示す図である。
【図８】図８は、異なる形状のリンクがランダムに配列された一例を示す図である。
【図９】図９は、この発明による動力伝達チェーンのピン形状およびリンク形状を示す図である。
【図１０】図１０は、インボリュート曲線に基づく接触位置の軌跡と基礎円半径との関係を示す図である。
【図１１】図１１は、この発明による動力伝達チェーンのピッチおよび基礎円半径とランダム配列の一例を示す図である。
【図１２】図１２は、この発明による動力伝達チェーンの噛み込み前後のピンの状態を示す図である。
【図１３】図１３は、動力伝達チェーンがプーリに取り付けられた状態を示す正面図である。
【図１４】図１４は、この発明による動力伝達チェーンが使用される一例の無段変速機を示す斜視図である。
【符号の説明】
【００４４】
(1)               動力伝達チェーン
(2)(3)            プーリ
(2a)(3a)          固定シーブ
(2b)(3b)          可動シーブ
(2c)(2d)          円錐状シーブ面
(11)(11A)(11B)    リンク
(12)(13)          貫通孔
(14)(14A)(14B)    ピン（第１ピン）
(15)(15A)(15B)    インターピース（第２ピン）
【図１】
2006002784.tif 000003
【図２】
2006002784.tif 000004
【図３】
2006002784.tif 000005
【図４】
2006002784.tif 000006
【図５】
2006002784.tif 000007
【図６】
2006002784.tif 000008
【図７】
2006002784.tif 000009
【図８】
2006002784.tif 000010
【図９】
2006002784.tif 000011
【図１０】
2006002784.tif 000012
【図１１】
2006002784.tif 000013
【図１２】
2006002784.tif 000014
【図１３】
2006002784.tif 000015
【図１４】
2006002784.tif 000016